(57)【要約】【課題】簡単な構成で自社製かどうかを確実に判別することができる貸しおしぼり用タオルを提供する【解決手段】貸しおしぼりに使用される小型タオルにおけるタオル地の縁部に縫製により構成された折り返し部の空間中に、識別用目印を付した識別用片を隠蔽式に配す。【選択図】図２
0003112540.tif 000002
【実用新案登録請求の範囲】
【請求項１】
貸しおしぼりに使用される小型タオルにおいて、タオル地の縁部に設けられ縫製により構成された折り返し部中に、識別用目印を付した識別用片を配していることを特徴とするおしぼり用タオル。
【請求項２】
前記識別用片は折り返し部内に隠蔽されている請求項１に記載のおしぼり用タオル。
【請求項３】
前記識別用片が折り返し部から突出してタグ部を連成しており、該タグ部にも識別用目印が表されている請求項１に記載のおしぼり用タオル。
【請求項４】
識別用片が帯状のシート片からなり、識別用目印がタオル地よりも濃い色調で施されている請求項１ないし３のいずれかに記載のおしぼり用タオル。
【考案の詳細な説明】
【技術分野】
【０００１】
本考案は貸しおしぼりに好適なおしぼり用タオルに関する。
【背景技術】
【０００２】
「貸しおしぼり」は、図１のように、洗浄して湿らせた小型のタオルＡからなり、これをロール状に巻き、樹脂フイルム製の袋Ｂに装填され、貸出し先で使用された後、回収して洗濯、洗浄を施し、繰り返し使用されるもので、飲食店、各種遊技場、美容室、理容室、宿泊施設、列車、航空機などの旅客運送手段などにおいて、顔や手指などの汗や汚れを払拭する手段として汎用されている。
【０００３】
ところが、貸しおしぼりは、一般に、白、黄色あるいはブルーの地色の矩形状をなしたタオルで、せいぜい柄に種類が設けられている程度であったので、製造元や取扱者が誰かわからなかった。そこで、タオルの縁部に、製造者名やマーク、図柄などを印刷した小さなタグを縫着することにより、識別性を持たせるとともに品質保証を表すこと、が行われている。
【０００４】
しかしながら、この構成としただけでは、故意または何らかのアクシデントでタグが切除されたり、タグが擦れられて印刷がぼやける可能性があり、そうすると前記目的が達成されなくなり、品質保証が出来なきなったり、他社の貸しおしぼりに紛れ込んで回収率が低下してしまったりするという問題があった。
【考案の開示】
【考案が解決しようとする課題】
【０００５】
本考案は前記のような問題点を解消するためになされたもので、その目的とするところは、簡単な構成で自社製かどうかを確実に判別することができる貸しおしぼり用タオルを提供することにある。
【課題を解決するための手段】
【０００６】
上記目的を達成するため本考案は、貸しおしぼりに使用される小型タオルにおいて、タオル地の縁部に設けられ縫製により構成された折り返し部内に、識別用目印を付した識別用片を配していることを特徴としている。
【考案の効果】
【０００７】
本考案によるときには、折り返し部の空間中に、表面に識別用目印を付した識別用片を配しているので、タオルを湿潤させた状態にすると、タオルの地を通して識別用目印が透けて見え、また、乾いた状態でも折り返し部を明かりに透かすと識別用目印が見えるので、自社製であることを一目で確実に判別することができ、誤りなく回収、使用することができる。
識別用片は折り返し部内に隠蔽されているので、タオルの洗濯を繰り返しても、かすれたりすることがなく、良好な識別効果を長い期間発揮することができる。
また、自社製品であることを表すためにタオル地そのものを染色したり刺繍を施したりするなどの特殊な加工を要さないので、安価に実施できるというすぐれた効果が得られる。
【考案を実施するための最良の形態】
【０００８】
前記識別用片は折り返し部に隠蔽されている。
これによれば、タオルとして使用する部分に何も異物的な突出部がないので、手や顔を拭いたときに突出部が触れることによる違和感を与えない。
【０００９】
前記識別用片が折り返し部から突出してタグ部を連成しており、該タグ部にも識別用目印が表されている場合を含む。
これによれば、外部に突出するタグ部に識別用目印が施されているので２重の識別を行え、万一タグ部が切除されても折り返し部空間中の識別用目印付き識別用片が残るので、自社製品であることを識別することができる。
【００１０】
識別用片が帯状のシート片からなり、識別用目印がタオル地よりも濃い色調で施されている
これによれば折り返し部内への装填が容易であり、しかも識別用目印がタオル地よりも濃い色調となっているので、湿潤時、乾燥時によく透けて見え、識別が容易となる。
【実施例１】
【００１１】
以下添付図面を参照して本考案の実施例を説明する。
図２ないし図４は本考案の第１実施例を示している。１は本考案にかかるおしぼり用タオルで、図１と同じように湿潤状態でロール状に巻装され、樹脂フイルムからなる包装袋Ｂに装填される。前記おしぼり用タオル１は、平面が矩形状をなし、白色、薄黄色など所望の淡色に染色された小型タオル地３からなり、上下縁部と左右縁部には、所要幅の折り返し部４、５が作られている。
【００１２】
かかる構成は従来のこの種のおしぼり用タオルと同様であるが、本考案は、前記折り返し部４、５のいずれかひとつ、または複数のものの内部に、識別用目印７を付した識別用片６を内蔵させている。図２の例では、上下の折り返し部４，４に識別用片６を内蔵させているが、これに限定されないことはいうまでもない。
【００１３】
前記折り返し部４、５は、タオル地の縁を１８０度折り返してタオル地に重ね、先端縁付近をミシンなどで縫着して縫製部４０，５０とすることで構成され、したがって、縫製部４０，５０と折り返し始端との間に折り返しに伴う偏平な空間８が画成される。
本考案はこの空間８に表面に識別用目印７を付した識別用片６を配し、その識別用片６の端部を前記縫製部４０，５０で共縫いするのである。
【００１４】
前記識別用片６は、この例ではナイロンなど目の詰んだリボン布や柔軟なプラスチックなどで代表されるシート状物を用いているが、場合によって、適度な太さを有する紐などであってもよい。
前記識別用目印７は、識別用片６の片面は必ず必要であるが、両面に施されていてもよい。施し方は、印刷的手法、刺繍など任意である。  識別用目印７は自他おしぼりの識別を容易に行えるものであれば限定はなく、単色または複数色を付けただけのものでもよいし、特定の絵柄、図柄などであってもよいし、自社名などをあらわす文字や記号あるいはそれらの組み合わせなどであってもよいが、タオル地をとおして視認可能にするため、タオル地の色よりも濃色であることが好ましい。
【００１５】
この実施例のおしぼり用タオル１は、通常のものと同じく洗浄、殺菌を行なって湿潤させ、包装袋Ｂに装填する。こうして使用に供した場合、タオル地が湿っているため折り返し部４，５の片が識別用片６と貼り付くように重なり、かつタオル地が淡色系であるので、透き通り現象により折り返し部内に存する識別用片６の識別用目印７が地を通して視認され、瞬時に自社製品かどうかを判別することができる。
乾いた状態では折り返し部４，５は適度にふくらみを持ち、折り返し部４，５の片が識別用片６と少し離れるが、タオルを持って明かりに透かすと識別用目印７が地を通して視認されるので、識別は容易である。
また、識別用目印７の付いた識別用片６は折り返し部内にあるので、タオルの体裁を全くそこなわず、洗濯等の際に離脱してしまう心配もない。
【実施例２】
【００１６】
図５と図６は本考案の第２実施例を示している。
この実施例においては、識別用片６は折り返し部４または５から突出しており、所要長さ部位で折り返されることによりタグ部６´が連成され、そのタグ部６´にも識別用目印７´が表されている。
タグ部６´の識別用目印７´と折り返し部４または５内の識別用目印７は同じであっても、異なっていてもよい。
【００１７】
この実施例にあっては、おしぼり用タオル１が湿潤状態であるか否かを問わずタグ部６´の識別用目印７´により自社製品であることを識別することができ、湿潤状態の時には、タグ部６´の識別用目印７´と折り返し部４または５内の識別用目印７のいずれでも自社製品であることを識別することができる。
そして、タグ部６´が切除されたり、擦られて識別用目印７´が消されたりしても、折り返し部４または５内の識別用目印７が残っているので、自社製品であることを識別することができる。
【００１８】
なお、本考案のおしぼり用タオル１は、ある箇所に通常のタグをつけ、他の箇所の折り返し部４または５内に識別用目印７の付いた識別用片６を内蔵させている場合を含む。
【００１９】
図７は第２実施例の識別用片６とタグ部６´を得るための単位片２Ａを連続した帯状ないしリボン状部材２を例示しており、（ａ）のように単位片２Ａの長手方向中央を折り返しライン２０として、該ライン近傍両側片部２a、２ｂにタグ部６´の識別用目印７´が表示され、この例では片側片部２ａに識別用目印７´と離間して識別用目印７を表示している。
使用に当たっては、単位片２Ａ、２Ａの境界位置で切断２１し、独立した単位片２Ａを折り返しライン２０で２つ折りし、識別用目印７のある部分がタオル地３の折り返し部４または５内に位置するように挿入し、折り返し部４または５の縁を縫製するのである。したがって、製作は容易である。
【図面の簡単な説明】
【００２０】
【図１】おしぼり用タオルを袋装填状態で示す部分切欠斜視図である。
【図２】本考案の第１実施例を展開状態で示す斜視図である。
【図３】図２のＸ−Ｘ線に沿う拡大的断面図である。
【図４】図２の部分切欠拡大平面図である。
【図５】本考案の第２実施例を示す部分拡大斜視図である。
【図６】図５のＹ−Ｙ線に沿う断面図である。
【図７】（ａ）は第２実施例に用いられる部材の一例を示す平面図、（ｂ）は識別用片とタグ部を得た状態の斜視図、（ｃ）は同じくその背面斜視図である。
【符号の説明】
【００２１】
１  おしぼり用タオル
３  タオル地
４、５  折り返し部
６  識別用片
６´  タグ部
７、７´  識別用目印
【図１】
0003112540.tif 000003
【図２】
0003112540.tif 000004
【図３】
0003112540.tif 000005
【図４】
0003112540.tif 000006
【図５】
0003112540.tif 000007
【図６】
0003112540.tif 000008
【図７】
0003112540.tif 000009